(57)【要約】【課題】径の異なる２種類の鏡筒に装着できるレンズキャップを提供する。【解決手段】レンズキャップ１６は、キャップカバー２５と装着ユニット２６とからなる。装着ユニット２６には、一対のスライダー２７，２８とバネ２９，３０とが一体に設けられている。バネ２９，３０は、一対のスライダー２７，２８を互いが離れる方向に付勢する。各スライダー２７，２８には、指掛け部３２，３３、第１の係合部３４，３５、及び第２の係合部３６，３７とが設けられている。左右一対の第１の係合部３４，３５は、カメラの鏡筒内周面のうちの対向する面に係合する。左右一対の第２の係合部３６，３７は、前記鏡筒とは内周径の異なるレンズフードの内周面のうちの対向する面に係合する。【選択図】　　　　図６
2004101807.tif 000002
【特許請求の範囲】
【請求項１】
鏡筒の開口を塞ぐキャップカバーと、前記開口に対する径方向にそれぞれ移動自在となるように前記キャップカバーに設けられ、前記鏡筒の内周面のうちの対向する面にそれぞれ係合する一対の第１の係合部を設けた一対のスライダーと、前記一対のスライダーを径外方にそれぞれ付勢する付勢手段とを備えたレンズキャップにおいて、
前記一対のスライダーのうちの前記第１の係合部に対して径方向での異なる位置に、前記鏡筒とは内周の径が異なる別の鏡筒の内周面のうちの対向する面にそれぞれ係合する一対の第２の係合部を設けたことを特徴とするレンズキャップ。
【発明の詳細な説明】
【０００１】
【発明の属する技術分野】
本発明は、レンズ、フィルター、またはレンズフードなどに対して望ましくない光の侵入を除くためのレンズキャップに関するものである。
【０００２】
【従来の技術】
レンズキャップには、レンズを覆うために円形に形成したキャップカバーに対して一対のスライダーを径方向に移動自在に組み込み、一対のスライダーを径外方にそれぞれ付勢することで一対のスライダーにそれぞれ設けた係合部を相手側鏡筒の内周面のうちの径方向に対向する面に係合させてキャップカバーをレンズの前面に取り付けるタイプがある（特許文献１）。
【０００３】
このタイプでは、スライダーの移動範囲を相手側鏡筒の内周径に合わせて決めているため、特定の内周径の鏡筒にしか取り付けることができなかった。そこで、一対のスライダーの移動ストロークを稼いで、内周径の異なる別の鏡筒にも取り付けることができるようにしたレンズキャップが提案されている（特許文献２）。
【０００４】
【特許文献１】
特開２００１−３３０８７０号公報
【特許文献２】
特開２００２−７２２８６号公報
【０００５】
【発明が解決しようとする課題】
しかしながら、一対のスライダーの移動ストロークを稼ぐには限界があり、特許文献２に記載のレンズキャップでは、相手側２種類の鏡筒の内径差が大きくなるほど、一対のスライダーの間にバネがあるため機構的に困難となる。また、スライダーの移動ストロークを長くすると、内周径の小さな鏡筒に装着したときに、一対のスライダーを押し込む操作量が増えるのに加えてこの操作がバネの付勢に抗する操作となるため装着操作がやりにくい面がある。また、径の小さな鏡筒に装着したときに、一対のスライダーを径外方にそれぞれ付勢するバネが大きく変形する。このため、樹脂製のバネを用いると、長時間の装着によりバネが変形して付勢力が失われるおそれがある。そこで、特許文献２記載のレンズキャップでは、耐変形性の良い金属製のバネを用いている。しかし、金属製のバネはコストが高く、レンズキャップのような付属品に対して高価な部品を使うことは避けたい。
【０００６】
本発明は上記事情を考慮してなされたもので、相手側被取付部の内径差に関わりなく確実に取り付けることができるレンズキャップをローコストで提供することを目的とする。
【０００７】
【課題を解決するための手段】
上記目的を達成するために、請求項１記載のレンズキャップでは、鏡筒の内周面のうちの対向する面にそれぞれ係合する一対の第１の係合部を設けた一対のスライダーの、前記第１の係合部に対して径方向での異なる位置に、前記鏡筒とは内周の径が異なる別の鏡筒の内周面のうちの対向する面にそれぞれ係合する一対の第２の係合部を設けたものである。
【０００８】
第１及び第２の係合部は、前記径方向に対してずれた位置に設けられており、内周径の異なる少なくとも２種類の鏡筒の内周面のうちの径方向に沿った対向面に係合する。また、相手側２種類の鏡筒の形状に応じて第１及び第２の係合部を光軸方向にずらして設けてもよい。一対のスライダー、付勢手段、第１の係合部、及び第２の係合部を別々の部品としてキャップカバーに設けてもよいし、またこれらを樹脂性の材料で一体に形成してキャップカバーに設けてもよい。
【０００９】
【発明の実施の形態】
電子カメラ１０は、撮影レンズ１１を通した被写体画像を撮像素子で撮像してシャッタレリーズに応答してスチル画又は動画を記録媒体に記録する。このカメラ１０は、ズームレンズ鏡筒を内蔵している。ズームレンズ鏡筒は、図１及び図２に示したように、カメラボディの前面に配された固定筒１２と、固定筒１２に内蔵した移動筒１３とから構成されている。撮影レンズ１１は移動筒１３に内蔵されており、移動筒１３は、カメラ１０に設けた電源スイッチ１４をＯＮすることに応答して固定筒１２から突出したワイド位置（図１に示す位置）に移動する。
【００１０】
移動筒１３は、カメラ１０に設けたズームボタン（図示なし）を操作することでワイド位置とこれからさらに繰り出たテレ位置との間で移動する。電源スイッチ１４をＯＦＦすると、移動筒１３が固定筒１２の内部に完全に収納した沈胴位置（図２に示す位置）に移動する。
【００１１】
図３に示すように、移動筒１３の前端の内周面には、周方向に溝１５が形成されている。この溝１５を利用してレンズキャップ１６が取り付けられる。また、固定筒１２の前端の内周面には、雌ねじ１７が形成されている。この雌ねじ１７を利用して詳しくは後述するレンズフード１８が装着される。
【００１２】
望遠撮影時には、撮影レンズ１１に対して望ましくない光の侵入を除くために、図４及び図５に示すように、レンズフード１８が取り付けられる。レンズフード１８には、光軸方向の後端の外周に雄ねじ１９が形成されている。この雄ねじ１９を固定筒１２の雌ねじ１７にネジ式に取り付けることでレンズフード１８をカメラ１０に装着することができる。
【００１３】
レンズフード１８には、光軸方向の前端の開口の内周面に雌ねじ２０が形成されている。レンズフード１８の内周面は、移動筒１３の内周面よりも径が長くなっている。レンズフード１８には、雌ねじ２０を利用してフィルターなどをネジ式に取り付ける以外に、前述したと同じレンズキャップ１６も取り付けることができる。
【００１４】
レンズキャップ１６は、図６に示すように、キャップカバー２５と装着ユニット２６とから構成されている。装着ユニット２６には、一対のスライダー２７，２８、一対のバネ２９，３０、及びフック３１とで構成されており、これらは弾性を有する樹脂製の材料で一体成型されている。スライダー２７，２８には、指掛け部３２，３３、第１の係合部３４，３５、及び第２の係合部３６，３７とが一体に設けられている。
【００１５】
キャップカバー２５は、レンズフード１８及び固定筒１２の前面開口を覆うためのものであり、弾性を有する樹脂製の材料で形成されている。このキャップカバー２５の背面には凹部３８が、また外周の一部には紐掛け部４７が形成されている。凹部３８は、キャップカバー２５の両側面から露呈するように径方向に沿って形成されており、一対のスライダー２７，２８の移動路を構成している。
【００１６】
一対のスライダー２７，２８は、同じ形状となっており、光軸を挟んだ両側に回転対称となるように凹部３８に配される。指掛け部３２，３３は、キャップカバー２５の凹部３８の両側からそれぞれ露呈され、レンズキャップ１６を着脱する時に操作される。
【００１７】
第１の係合部３４，３５は、レンズフード１８の雌ねじ２０に係合する部位であり、光軸を中心とする円弧状の段差壁（光軸と平行な面の壁）にネジ溝を形成した形態となっている。左右一対の第１の係合部３４，３５との間の径は、レンズフード１８の内周面の径よりも僅かに長い長さとなっている。
【００１８】
第２の係合部３６，３７は、移動筒１３の溝１５に係合する部位であり、光軸を中心とする円弧状の突出壁（光軸方向の後方に突出する壁）に断面爪形状となるように凸部を形成した形態となっている。左右一対の第２の係合部３６，３７との間の径は、移動筒１３の内周面の径よりも僅かに長い長さとなっている。したがって、一対の第２の係合部３６，３７は、一対の第１の係合部３４，３５よりも径方向の内側にそれぞれ形成されている。また、不使用状態において移動筒１３が固定筒１２の前端よりも奥に引っ込むため、一対の第２の係合部３６，３７は、第１の係合部３４，３５よりも光軸方向の後方に向かってずれた位置に形成されている。
【００１９】
キャップカバー２５の凹部３８には、装着ユニット２６を着脱自在に保持する複数の係止爪３９〜４６が一体に形成されている。全ての係止爪３９〜４６は弾性自在となっており、このうちの係止爪４５，４６が一対のバネ２９，３０を保持する爪であり、また、係止爪３９〜４４が一対のスライダー２７，２８を保持するスライダー用係止爪となっている。
【００２０】
スライダー用係止爪３９〜４４のうちの係止爪３９〜４２は、一対のスライダー２７，２８を径方向に移動自在に保持する保持用爪であり、また係止爪４３，４４は一対のスライダー２７，２８の移動範囲を規制するストッパの作用をなす爪である。どちらの係止爪３９〜４４も一対のスライダー２７，２８が凹部３８から抜け出すことを防止する作用をもっている。
【００２１】
ストッパ用係止爪４３，４４は、一対のスライダー２７，２８の対向する面にそれぞれ所定の隙間４８を空けて係合している。これらの隙間４８と係止爪４３，４４の弾性変形によって生じる隙間との長さ分だけ一対のスライダー２７，２８は互いが近づくように移動する。
【００２２】
一対のバネ２９，３０は、両端が一対のスライダー２７，２８の対向する面に繋がった薄厚Ｕ字状となっており、一対のスライダー２７，２８の間でかつＵ字状の開放側が対向する向きとなるように光軸を挟んだ上・下に配されている。各バネ２９，３０は、一対のスライダー２７，２８が互いに近づくことで弾性変形し、その弾性変形によって一対のスライダー２７，２８を互いが離れる方向（径外方）に向けてそれぞれ付勢する。バネ用爪４５，４６は、一対のバネ２９，３０のほぼ中央を保持している。
【００２３】
紐掛け部４７は、カメラ１０とレンズキャップ１６とを繋ぐ紐の一端が取り付けられる。フック３１は、一方のバネ２９から光軸方向の後方に向けてＬ字状に突出して設けられており、カメラ１０を使用時にレンズキャップ１６が邪魔にならないように紐などに引っかけるときに用いられる。
【００２４】
上記構成の作用を簡単に説明する。カメラ１０の不使用状態のときには、レンズキャップ１６を装着する。装着は、キャップカバー２５の両側面から突出している一対の指掛け部３２，３３を互いが近づく方向に押す。この操作により一対のスライダー２７，２８が凹部３８の内部で互いが近づく方向に移動する。この移動により左右一対の第１及び第２の係合部３４〜３７の間隔が狭くなる。この状態を保持したままレンズキャップ１６をカメラ１０の固定筒１２の前面に押し込み、押し込んだ後に指掛け部３２，３３の押圧操作を止めることで、一対のバネ２９，３０の付勢により一対のスライダー２７，２８が元の位置に向けて移動され、元の位置に戻る途中で第２の係合部３６，３７が移動筒１３の溝１５に係合してレンズキャップ１６の装着が完了する。
【００２５】
レンズキャップ１６を取り外すときには、装着するときと同じ操作、すなわち左右の指掛け部３２，３３を互いが近づく方向に向けて押すことで行える。
【００２６】
レンズフード１８を取り付けた状態のカメラ１０にレンズキャップ１６を装着する場合も、レンズフード１８なしのカメラ１０に装着するときと同じ操作で行える。この場合、第１の係合部３４，３５がレンズフード１８の雌ねじ２０に係合し、一対のバネ２９，３０の付勢により装着が維持される。このとき、指掛け部３２，３３を押し込む量は、レンズフード１８なしのカメラ１０に装着するときと同じとなる。このため、装着操作を違和感なくスムーズに行える。
【００２７】
上記実施形態では、レンズキャップ１６を取り付ける相手側をレンズフード１８とカメラ１０の移動筒１３との例で説明しているが、これらに限らず、開口の内周面の径が異なる部材であればいずれでもよい。また、一対のスライダー２７，２８をバネ２９，３０とともに一体に成型した構成としているが、分離した構成としてもよい。この場合、樹脂製のバネを一対のスライダーの間に設ければよい。さらに、第１及び第２の係合部３４〜３７を光軸方向にずらして設けているが、相手側形状に応じて例えば同じ位置に設けても良いし、また逆方向にずらして配しても良い。
【００２８】
また、上記実施形態では、レンズキャップ１６を装着する相手側の鏡筒を内周径の異なる２種類としているが、３種類以上としてもよい。この場合には、一対の係合部を内周径の種類に応じた数だけ設ければよい。
【００２９】
【発明の効果】
以上に述べたように、本発明のレンズキャップでは、一対のスライダーのうちの第１の係合部に対して径方向での異なる位置に、鏡筒とは径の異なる鏡筒の内周面のうちの対向する面にそれぞれ係合する一対の第２の係合部を設けたから、相手側被取付部の内径差に関わりなく確実に取り付けることができる。また、装着するときの操作量が常に同じであるため、バネの耐久性が向上し、よって安価なバネを使用することができる。
【図面の簡単な説明】
【図１】本発明を用いた電子カメラの正面側斜視図であり、移動筒を突出した使用状態を示している。
【図２】電子カメラの正面側斜視図であり、移動筒を固定筒の内部に収納した不使用状態を示している。
【図３】電子カメラにレンズキャップを取り付けた状態を示す要部断面図である。
【図４】電子カメラにレンズフードを取り付ける状態を示した斜視図である。
【図５】レンズフードにレンズキャップを取り付けた状態を示す要部断面図である。
【図６】レンズキャップを示す分解斜視図である。
【符号の説明】
１０　カメラ
１２　固定筒
１３　移動筒
１６　レンズキャップ
１８　レンズフード
２７，２８　一対のスライダー
２９，３０　バネ
３２，３３　指掛け部
３４，３５　一対の第１の係合部
３６，３７　一対の第２の係合部
【図１】
2004101807.tif 000003
【図２】
2004101807.tif 000004
【図３】
2004101807.tif 000005
【図４】
2004101807.tif 000006
【図５】
2004101807.tif 000007
【図６】
2004101807.tif 000008